(57)【要約】【課題】  出席者からの要望に応じて所望とする色に手軽に調整可能とすることで、更なる光の演出効果を得ることが可能な発光液混合容器を提供する。【解決手段】  発光原液および発光反応液を混合させる混合部５の周囲全体を囲う容器本体２に、発光原液または発光反応液を噴射させて混合部５に注入するための１以上の注入口３が設けられている。注入口３には、容器本体２の内側に向かって徐々に開口面積が減少するように形成された注入案内路６が突出して設けられているとともに、容器本体２の底部には、シリコン栓７で閉栓可能な排出口４が設けられている。【選択図】  図１
2007005195.tif 000002
【特許請求の範囲】
【請求項１】
発光原液および発光反応液を混合させる混合部の周囲全体を囲う容器本体に、発光原液または発光反応液を噴射させて前記混合部に注入するための１以上の注入口が設けられていることを特徴とする発光液混合容器。
【請求項２】
前記注入口には、前記容器本体の内側に向かって徐々に開口面積が減少するように形成された注入案内路が、突出して設けられていることを特徴とする請求項１記載の発光液混合容器。
【請求項３】
前記注入口は、前記容器本体の側壁面に設けられていることを特徴とする請求項１または２記載の発光液混合容器。
【請求項４】
前記容器本体の底部には、閉栓可能な排出口が設けられていることを特徴とする請求項１から３のいずれかの項に記載の発光液混合容器。
【発明の詳細な説明】
【技術分野】
【０００１】
本発明は、発光原液と発光反応液とを混合させて発光させる発光液混合容器に関する。
【背景技術】
【０００２】
結婚式の披露宴や各種パーティなどで、蝋燭に火を灯す代わりに、発光原液と発光反応液とを混合させた発光液の化学発光反応によって、幻想的な雰囲気を醸成させる光の演出が行われることが多くなった。
【０００３】
例えば、特許文献１には、予め発光させた化学発光剤を注入用容器に充填して用意しておき、これを新郎および新婦等の参加者が披露宴の各テーブル上の発光剤容器に注入することにより、各発光剤容器内を発光させて各テーブルにおいて多数の発光状態を得るようにした化学発光剤を使用したキャンドルサービスシステムが記載されている。
【０００４】
化学発光反応による演出は、蝋燭の火と異なり発光反応液と混合すると赤や青や緑などで発光する発光原液がそれぞれあるので、その種類に応じた発光原液を用いることで、意図する色に発光させることができ、優れた演出効果を得ることができる。しかし、色の好みは、単に赤や青や緑といった単色の光から、青みがかった紫や、黄色に近い橙色など要望は多岐に渡り、中間色が求められることも多くなってきている。
【０００５】
例えば、特許文献２には、表示させる中間色等を任意に設定してディスプレイを色彩豊かにするために、発光色の異なる発光液が入れられる複数の発光液タンクと、補助液が入れられる補助液タンクとを備えると共に、発光液タンクおよび補助液タンクに保持された発光液と補助液との所定量をディスプレイに供給する送液装置とを備えた演出用化学発光液の送液システムが記載されている。
【０００６】
【特許文献１】特開平１０−１７２３０１号公報
【特許文献２】特開２０００−１６４００１号公報
【発明の開示】
【発明が解決しようとする課題】
【０００７】
しかし、特許文献２に記載の演出用化学発光液の送液システムは、規模が大掛かりなものであるため、例えば披露宴やパーティに設置した各テーブルに簡単には配置することができない。また、出席者からの色変更の要望を受けてから送液装置の送液量を調整したのでは、ディスプレイに送られるまでに時間を要してしまう。この送液量の調整も、発光液と補助液の混合比によって発光する色が変わってくるので、所望する色とするには、何度も混合比を変更しながら調整することになり、更に時間を要してしまう。従って、色の要望を受けてから、所望とする色になるまでに相当な時間がかかってしまうので、幻想的な光の演出の効果も半減してしまう。
【０００８】
特許文献１に記載のキャンドルサービスシステムは、各テーブルに配置して、手軽に光の演出を楽しめるものではあるが、予め発光させた化学発光剤を注入用容器に充填して用意しておくものなので、出席者からの色変更の要望に対応することができない。
【０００９】
そこで、本発明の目的は、出席者からの要望に応じて所望とする色に手軽に調整可能とすることで、更なる光の演出効果を得ることが可能な発光液混合容器を提供することにある。
【課題を解決するための手段】
【００１０】
本発明の発光液混合容器は、発光原液および発光反応液を混合させる混合部の周囲全体を囲う容器本体に、発光原液または発光反応液を噴射させて前記混合部に注入するための１以上の注入口が設けられていることを特徴とする。
【００１１】
容器本体は、発光原液および発光反応液を混合させる混合部の周囲を囲うように形成されている。この容器本体には、１以上の注入口が設けられており、この注入口に発光原液または発光反応液を噴射して混合部に注入する。つまり、容器本体に予め発光反応液を貯留しておけば、発光原液を注入口に噴射して発光反応液が貯留された混合部へ注入する。また、容器本体が空の状態であれば発光反応液と発光原液とをそれぞれ注入口に噴射して混合部へ注入する。容器本体は混合部を囲うように形成されているので、発光原液と発光反応液とが噴射された勢いで容器本体の内壁面に沿って回ったり、内壁面に衝突したりしながら撹拌されるように混合部で混合される。従って、発光反応液と発光原液とが良く混ざった状態とすることができるので、発光を均一に行うことができる。
【００１２】
そして、発光反応液と発光原液とを混合させた発光液の発光の色が所望とする色とは異なっている場合には、所望の色とするための発光原液を追加で注入口より噴射して注入する。追加で噴射された発光原液は、容器本体の内壁面に沿って回ったり、内壁面に衝突したりしながら、混合部で貯留された状態の発光液と全体的に均一に混じり合う。混合部は、その周囲全体を容器本体が囲っているので、所望とする色に調整するために発光原液を追加しても、噴射の勢いで発光反応液や発光原液が外へ漏れ出ることはなく、直ぐに発光した色を確認することができる。従って、発光する色を見ながら発光原液を噴射して調整することができるので、中間色であっても即座に所望とする発光色とすることができる。
【００１３】
前記注入口には、前記容器本体の内側に向かって徐々に開口面積が減少するように形成された注入案内路が、突出して設けられているのが望ましい。噴射された発光反応液または発光原液は、容器本体の内側面に沿って回るので、その勢いで注入口から出てくるおそれがある。注入案内路は、注入口に内側に向かって徐々に開口面積が減少するように形成されているので、その先端部は注入口より開口面積が小さい。従って、噴射された発光反応液または発光原液を導入しつつ、導入された発光反応液または発光原液の逆流を防止することができる。また容器本体が転倒して注入口が下になってしまった場合でも、導入案内部が内側面に突出した状態に形成されているので、注入口から漏れ出ることが防止できる。
【００１４】
前記注入口は、前記容器本体の側壁面に設けられているのが望ましい。容器本体の側壁面に注入口を設けることで、テーブルに本発明の発光液混合容器を載置したときに、発光反応液または発光原液の噴出による注入を、容器本体の横から行うことができるので注入しやすい。また、注入口を容器本体の側壁部に設けることで、頂頭部に設けるよりもコップや瓶などからでは注ぎにくくなる。従って、悪戯でコップや瓶などに入った水や酒類を、注入口から混入してしまうようなことが防止できる。
【００１５】
更に、前記容器本体の底部には、閉栓可能な排出口が設けられているのが望ましい。容器本体の底部に閉栓可能な排出口を設けることで、混合部で混合させて発光させた後の廃液を排出する際には、開栓することで容易に排出することができる。
【発明の効果】
【００１６】
本発明の発光液混合容器によれば、以下の効果を奏する。
（１）発光原液および発光反応液を混合させて発光する混合部の周囲全体を囲う容器本体に、噴射した発光原液または発光反応液を混合部に注入するための１以上の注入口を設けたことにより、例え粘性が高い発光反応液や発光原液であっても、発光反応液と発光原液とが良く混ざった状態で、発光する色の反応を見ながら発光原液を噴射して調整することができるので、手軽に各種の色を混合させて所望とする色とすることができる。よって、迅速に、かつ均一に、所望とする色とすることができるので、幻想的な光に周囲の人は没入することができ、更なる光の演出効果を得ることができる。
（２）注入口に、内側に向かって徐々に開口面積が減少するように形成された注入案内路を設けたことで、導入された発光反応液または発光原液の逆流や、容器本体が転倒して注入口が下になってしまった場合でも、注入口から発光反応液や発光原液の流出が防止できるので、テーブルクロスやテーブルの上においた荷物などを汚してしまうようなことが防止できる。
（３）注入口を、容器本体の側壁面に設けることで、発光反応液または発光原液の噴出による注入が行いやすく、悪戯されにくいので、自然な姿勢で発光反応液または発光原液の注入が行えるとともに、悪戯による発光不良が防止できる。よって、披露宴やパーティの進行をスムーズに進めることができる。
（４）容器本体の底部に、閉栓可能な排出口を設けることで、混合部で混合させ発光させた後の廃液を容易に排出することができるので、披露宴やパーティが終わった後の片づけを滞りなく行うことができる。また容器本体を支持する台などに載置すれば、容器本体の底部はこの台に隠れる。従って、周囲の人からは、容器本体の底部に設けた排出口が見えない状態とすることができるので、美観の損失を防止できる。
【発明を実施するための最良の形態】
【００１７】
本発明の実施の形態に係る発光液混合容器を図１から図３に基づいて説明する。図１は、本発明の実施の形態に係る発光液混合容器を説明する正面図である。図２は、本発明の実施の形態に係る発光液混合容器の要部断面図である。図３は、本発明の実施の形態に係る発光液混合容器をテーブルに配置するときに支持する支持台を説明する図である。
【００１８】
図１および図２に示すように本発明の実施の形態に係る発光液混合容器１は、披露宴やパーティに配置されるテーブルに載置されるものである。発光液混合容器１は、ガラスで形成された容器本体２に、発光原液や発光反応液を噴射して注入するための注入口３が３つ設けられるとともに、底部には排出口４が設けられている。
【００１９】
容器本体２は、環状凸部２ａと、上方に向かって徐々に拡径する拡径部２ｂと、略球状に形成され、注入口３が設けられた球頭部２ｃとを備え、内側が発光原液および発光反応液を混合させる混合部５となるように、混合部５の周囲全体を囲うように形成されている。本実施の形態では、容器本体２の高さをテーブル上に配置しても、料理やコップなどの邪魔にならない程度の大きさとするのが望ましく、高さは１５ｃｍ〜１８ｃｍ、幅は頭部の最大のところで、５ｃｍ〜６ｃｍとしているが、新郎および新婦が着席するメインテーブルに配置する場合には、より大きく形成してもよい。また容器本体２は光透過性を有し、発光原液および発光反応液に対して耐腐食性を有するものであれば、ガラス以外に他の材質のもので形成してもよい。
【００２０】
注入口３は、その開口が円形状に形成され、球頭部２ｃの側壁面となる水平断面が最大となる位置に、間隔が均等となるように配置されている。本実施の形態では、注入口３が球頭部２ｃに設けられているが、容器本体２の側壁面となる部分であれば、球頭部２ｃの縮径する部分や、拡径部２ｂの周囲面に設けるようにしてもよい。つまり注入口３の開口が上方に向いていない側壁面であれば注入口を形成することができる。
【００２１】
注入口３には、内側に向かって徐々に開口面積が減少するように形成された注入案内路６が、容器本体２から球頭部２ｃの中心に向かって突出させて、容器本体２と一体的に設けられている。
【００２２】
注入口３から注入される発光原液としては、蛍光物質、シュウ酸エステル、染料などを溶媒に溶かした蛍光液を用いることができる。また発光反応液としては、過酸化水素、サリチル酸ナトリウムなどを溶媒に溶かした酸化液を用いることができる。これらの発光原液または発光反応液を注入口３から噴射して注入する噴射装置は、例えば棒状に形成したものや、ピストル状に形成されたものが使用できる。噴射装置は、細長いノズルを有し、そのノズル先端が注入口３の口径より小さい方が、ノズル先端を注入口３に挿入した状態で噴射できるので望ましい。
【００２３】
排出口４は、その開口が円形状に形成され、発光原液および発光反応液を貯留するときには円柱状に形成されたシリコン栓７で閉栓する。排出口４の閉栓は、発光原液および発光反応液に対して耐腐食性を有しているものであれば様々な材質のものが使用でき、例えばフッ素ゴムで形成された栓でも使用できる。シリコン栓７は、弾力があり排出口４に挿入しやすいので、排出口４を閉栓するのに好適である。
【００２４】
この発光液混合容器１をテーブルに載置する場合には、図３に示すような支持台８を用いる。この支持台８は、外形が略立方体状に形成された箱体で、上面に環状凸部２ａを通過させ、拡径部２ｂを保持することでテーブルに発光液混合容器１を立設する孔８ａが設けられている。
【００２５】
以上のように構成される本発明の実施の形態に係る発光液混合容器１の使用状態を図面に基づいて説明する。なお、本実施の形態では、発光液混合容器１が披露宴の各テーブルに支持台８を介在させて配置され、予め発光液混合容器１には発光反応液が予め貯留されているものとする。
【００２６】
発光液混合容器１は支持台８により支持されているので、排出口４や排出口４を閉栓するシリコン栓７は支持台８により周囲の人からは見えない。従って、容器本体２の底部に排出口４を設けることで、発光液混合容器１の美観が損なわれない。
【００２７】
このように各テーブルに配置された披露宴会場に、スポットライトを浴びながら新郎新婦が入場する。新郎新婦は、例えば、新郎は緑色に発色する発光原液を噴射する噴射装置を、新婦は赤色に発色する発光原液を噴射する噴射装置を、それぞれ手に持ち、例えば青色の発色する発光原液を噴射する噴射装置をトレイに載せた介添人とともに入場する。
【００２８】
まず、新郎新婦が最初のテーブルに配置された発光液混合容器１の注入口３に噴射装置のノズル先端をそれぞれ挿入して、発光原液を噴射させる。
【００２９】
注入口３から噴射された発光原液は、注入案内路６を経由して混合部５に注入される。そして、貯留された発光反応液を噴射した勢いで舞い上げる。噴射された緑色に発色する発光原液および赤色に発色する発光原液は、舞い上がった発光反応液とともに容器本体２の内側面に沿って回ったり、内壁面に衝突したりしながら混合部５で撹拌される。容器本体２は混合部５を囲うように形成され、注入口３に設けられた注入案内路６は開口面積が徐々に減少するように突出しているので、その先部の開口は注入口３より小さい。従って、勢いよく発光原液を噴射しても、発光原液や発光反応液が容器本体２の周囲に噴出することはない。
【００３０】
混合部５で混合された発光原液と発光反応液とは粘性が高いので、舞い上がりながら攪拌されることで、容器本体２の内壁面に付着して、排出口４に向かって発光しながら流れる。従って、容器本体２の内壁面全体が発光したような状態となって電球を灯したような光の演出効果が得られる。また、注入口３に注入案内路６を設けているので、容器本体２の側壁の厚みが注入口３の周囲は厚く形成される。従って、混合部５で発光した光は、注入口３の周囲で屈折して拡散するので、更に幻想的な雰囲気を醸成することができる。
【００３１】
新郎新婦のそれぞれの噴射量が同量であれば混合部５で混合されると黄色に発色する。また、新郎が噴射した緑色に発光する発光原液の量が赤色に発光する発光原液の量より多ければ黄緑色に発色する。そこで、そのテーブルの周囲に着席して人から、もっと白色に近くして欲しいなどの要望があると、新郎は介添人が持つ青色に発色する発光原液を噴射する噴射装置に持ち替えて、注入口３に噴射装置のノズル先端を挿入して噴射する。
【００３２】
黄色に発光している容器本体２に噴射された青色に発色する発光原液は、黄色に発光している発光原液と発光反応液とを混合した発光液を噴射の勢いで舞い上げる。舞い上がった黄緑色に発色した発光液は、青色に発色する発光原液とともに容器本体２の内壁面に沿って回ったり、内壁面に衝突したりしながら混合部５で撹拌される。そして追加した発光原液の量が、赤色および緑色にそれぞれに発色する発光原液の量と同量であれば、白色の発光となる。発光原液を噴射して混合させているので、一瞬のうちに容器本体２内の発光原液および発光反応液を混合させることができるので、要望があってから所望の色とするまでに時間を要しない。
【００３３】
更に、テーブルの周囲に着席している人からピンク色にして欲しい旨の要望があれば、更に赤色に発色する発光原液を追加して噴射する。このように、発光液混合容器１で発光する色を見ながら、要望に応じて所望とする色に手軽に調整することが可能である。
【００３４】
新郎新婦は、発光液混合容器１に発光原液を噴射装置で注入するときは、この発光液混合容器１が配置されたテーブルの周辺から噴射装置を持つ手を伸ばし、噴射装置のノズル先端を注入口３に挿入して注入することになる。従って、注入口３が容器本体２の球頭部２ｃの側壁面に設けているため、発光原液を噴射させて注入しやすい。
【００３５】
例えば、注入口３が容器本体２の球頭部２ｃの頂頭部に設けられていると、コップや瓶などに入れた水や酒類を注入しやすいので、出席者が注入しやすい位置にある注入口を見て悪戯を誘発させられ、水や酒類を注入してしまうおそれがある。発光反応液と発光原液とを混合させて発光させる化学発光は、異物が混入すると発光が困難な状態になるので、水や酒類が混入してしまうと混合部５での発光が不全となる。本実施の形態の発光液混合容器１は、注入口３を容器本体２の球頭部２ｃの側壁部に設けているので、コップや瓶などから注ぎ難い。更に、注入口３には、容器本体２の内側に突出するように注入案内路６を設けており、その注入案内路６は、開口面積が徐々に減少するように形成されているので、コップや瓶などから注入しようとしても、その傾斜面で液体の流入が阻まれ、混入は困難である。従って、悪戯の誘発を防止するとともに、悪戯しようとしても水や酒類などの異物が容器本体２内に混入することが防止できる。
【００３６】
最初のテーブルの発光が完了すると、次のテーブルというように順次、披露宴会場のテーブルを巡回していく。そして披露宴が終了すると、発光液混合容器１を支持台８から抜き取り回収する。発光液混合容器１を回収すると、排出口４を下に向けた発光液混合容器１からシリコン栓７を開栓して廃液を廃液貯留容器に流し入れる。容器本体２には注入口３が設けられているので、廃液を排出口４から流し出すときに空気が注入口３から流入して、遅滞なく廃液を排出させることができる。また、排出口４を広径に形成しているので、容器本体２の内側面の洗浄が容易である。
【００３７】
本実施の形態では、予め容器本体２に発光反応液を貯留していたが、披露宴当初は空の状態としてもよい。その場合には、発光原液と発光反応液とを充填して噴射する噴射装置をそれぞれ準備して、例えば新郎が発光反応液を噴射する噴射装置を持ち、発光原液を噴射する噴射装置を持つ新婦とともに、発光液混合容器１に注入するようにしてもよい。そうすることで、噴射された発光反応液と噴射された発光原液とが混合部５で混合して発光させることができる。
【００３８】
本実施の形態では、容器本体２に注入口３を３つ設けていたが、新郎と新婦のみが噴射装置を使用する場合には、注入口３を２つ設けるようにしてもよいし、また、新郎新婦が順番に噴射する場合には注入口を１つとしてもよい。更に、注入口を３つ以上設けていれば、新郎新婦の他に、披露宴の出席者が同時に発光に参加することができる。その場合には、噴射装置をその注入口の数に応じて準備することで、出席者も新郎新婦と一緒に幻想的な光の演出を共有して楽しむことができる。注入口３は、注入する人数より少なくとも１以上多く設けるようにすると、発光原液や発光反応液を噴射して注入する際の空気抜き用の孔として機能し、容器本体２内に噴射してもスムーズに注入することができるので望ましく、注入する人数より１多い数の注入口３とするのが発光液混合容器１の美観の観点から望ましい。しかし、噴射装置のノズル先端が注入案内路６の先端の開口より十分小さく、噴射装置のノズルを注入案内路６より更に奥に挿入して噴射する場合には、注入案内路６とノズルとの隙間から空気が排出することができるので、注入口３を注入する人数と同数としてもよい。
【００３９】
また、本実施の形態に係る発光液混合容器１に、光を過性する球形体や、異形体を混合部５に配置しておけば、混合した発光液の光を屈折して拡散させることができるので、更に光の演出効果を向上させることができる。
【００４０】
以上、本発明の実施の形態について説明してきたが、本発明は前記実施の形態に限定されるものではなく、例えば、容器本体として、発光原液および発光反応液を混合させる混合部の周囲全体を囲うように容器本体が形成されていれば、球状や、円柱状や、円錐状や、異形状とすることができる。また、そのような形状としたときでも、注入口を容器本体の側壁面に設け、注入口に容器本体の内側に向かって徐々に開口面積が減少するように形成された注入案内路を設けるのが望ましい。
【産業上の利用可能性】
【００４１】
本発明の発光液混合容器は、所望とする色に手軽に調整でき、更なる光の演出効果を得ることが可能なので、結婚式の披露宴、パーティ、ショーその他のセレモニーなどにおいて演出器材として使用するに最適である。
【図面の簡単な説明】
【００４２】
【図１】本発明の実施の形態に係る発光液混合容器を説明する正面図である。
【図２】本発明の実施の形態に係る発光液混合容器の要部断面図である。
【図３】本発明の実施の形態に係る発光液混合容器をテーブルに配置するときに支持する支持台を説明する図である。
【符号の説明】
【００４３】
１  発光液混合容器
２  容器本体
２ａ  環状凸部
２ｂ  拡径部
２ｃ  球頭部
３  注入口
４  排出口
５  混合部
６  注入案内路
７  シリコン栓
８  支持台
８ａ  孔
【図１】
2007005195.tif 000003
【図２】
2007005195.tif 000004
【図３】
2007005195.tif 000005